(57)【要約】【課題】本発明は、客コンベア用手摺に内蔵された複数の抗張体の電気抵抗を一度に測定できる乗客コンベア用手摺及び測定治具を提供することを目的とする。【解決手段】本発明に係る乗客コンベア用手摺は、無端状に形成された本体部１０と、導電性を有し、本体部１０の長手方向に沿って内蔵され、本体部１０の長手方向において一端部と他端部とが接触せず対向し、本体部１０の短手方向に沿って接触せずに並べられた抗張体１１と、を備え、本体部１０の内側面１０ｂには、全ての抗張体１１の一端部及び他端部を露出させる開口部が形成されたものである。【選択図】図４
2017088266.tif 000002
【特許請求の範囲】
【請求項１】
無端状に形成された本体部と、
導電性を有し、前記本体部の長手方向に沿って内蔵され、前記本体部の長手方向において一端部と他端部とが接触せず対向し、前記本体部の短手方向に沿って接触せずに並べられた抗張体と、
を備え、
前記本体部の内側面には、全ての前記抗張体の一端部及び他端部を露出させる開口部が形成された乗客コンベア用手摺。
【請求項２】
前記抗張体は、
前記本体部の短手方向において最も外側に配置された外側抗張体と、
２つの前記外側抗張体の間に配置された内側抗張体と、
を含み、
前記開口部は、
隣り合う２つの前記抗張体の一端部同士の組又は他端部同士の組を露出させる結線用開口部と、
前記抗張体の一端部又は他端部のうち前記結線用開口部から露出しない側を露出させる接触用開口部と、
を含み、
前記内側抗張体は、一端部が、前記本体部の短手方向における一側に隣り合う前記抗張体の一端部と共に前記結線用開口部から露出し且つ他側に隣り合う前記抗張体の一端部と共に前記結線用開口部から露出せず、他端部が、前記本体部の短手方向における他側に隣り合う前記抗張体の他端部と共に前記結線用開口部から露出し且つ一側に隣り合う前記抗張体の他端部と共に前記結線用開口部から露出せず、
前記外側抗張体は、一端部又は他端部のうち隣り合う前記内側抗張体の端部と共に前記結線用開口部から露出しない側が前記接触用開口部から露出する請求項１に記載の乗客コンベア用手摺。
【請求項３】
前記内側抗張体は、一端部が、前記本体部の短手方向における一側に隣り合う前記抗張体の一端部と電気的に接続され且つ他側に隣り合う前記抗張体の一端部と電気的に接続されず、他端部が、前記本体部の短手方向における他側に隣り合う前記抗張体の他端部と電気的に接続され且つ一側に隣り合う前記抗張体の他端部と電気的に接続されていない請求項２に記載の乗客コンベア用手摺。
【請求項４】
前記開口部は、前記本体部の短手方向に沿って他の前記開口部と隣接しない位置に形成された請求項１から３のいずれか１項に記載の乗客コンベア用手摺。
【請求項５】
導電性を有しない基板と、
前記結線用開口部に対応して前記基板に配置され、隣り合う２つの前記抗張体の双方と接触するように形成された結線用端子と、
前記接触用開口部に対応して前記基板に配置された接触用端子と、
を備え、
請求項２に記載の乗客コンベア用手摺に対して用いられる測定治具。
【発明の詳細な説明】
【技術分野】
【０００１】
本発明は、乗客コンベア用手摺及び測定治具に関するものである。
【背景技術】
【０００２】
乗客コンベア用手摺が劣化すると、内蔵された抗張体の摩耗及び断線等が発生し得る。乗客コンベア用手摺の劣化を検出する方法として、例えば、下記特許文献１に記載されたものがある。
【先行技術文献】
【特許文献】
【０００３】
【特許文献１】特開２００５−１２６１７５号公報
【発明の概要】
【発明が解決しようとする課題】
【０００４】
乗客コンベア用手摺の抗張体が劣化したことは、例えば、抗張体の電気抵抗の変化に基づいて検出し得る。１つの乗客コンベア用手摺に内蔵された複数の抗張体の電気抵抗を個別に測定する場合、多大な時間を要する。
【０００５】
本発明は、上記の課題を解決するためになされた。その目的は、乗客コンベア用手摺に内蔵された複数の抗張体の電気抵抗を一度に測定できる乗客コンベア用手摺及び測定治具を提供することである。
【課題を解決するための手段】
【０００６】
本発明に係る乗客コンベア用手摺は、無端状に形成された本体部と、導電性を有し、本体部の長手方向に沿って内蔵され、本体部の長手方向において一端部と他端部とが接触せず対向し、本体部の短手方向に沿って接触せずに並べられた抗張体と、を備え、本体部の内側面には、全ての抗張体の一端部及び他端部を露出させる開口部が形成されたものである。
【０００７】
本発明に係る測定治具は、導電性を有しない基板と、結線用開口部に対応して基板に配置され、隣り合う２つの抗張体の双方と接触するように形成された結線用端子と、接触用開口部に対応して基板に配置された接触用端子と、を備え、上記乗客コンベア用手摺に対して用いられるものである。
【発明の効果】
【０００８】
本発明に係る乗客コンベア用手摺において、本体部の内側面には、全ての抗張体の一端部及び他端部を露出させる開口部が形成されている。このため、本発明によれば、乗客コンベア用手摺に内蔵された複数の抗張体の電気抵抗を一度に測定することができる。
【図面の簡単な説明】
【０００９】
【図１】エスカレーターの構造を示す斜視図である。
【図２】本発明の実施の形態１における乗客コンベア用手摺の長手方向から見た断面図である。
【図３】乗客コンベア用手摺の抗張体の断面図である。
【図４】本発明の実施の形態１における乗客コンベア用手摺の外観図である。
【図５】本発明の実施の形態１における乗客コンベア用手摺の厚さ方向から見た断面図である。
【図６】本発明の実施の形態１における測定治具の模式図である。
【図７】本発明の実施の形態２における乗客コンベア用手摺の厚さ方向から見た断面図である。
【図８】本発明の実施の形態２における接触具が取り付けられた抗張体の断面図である。
【図９】本発明の実施の形態２における連結具が取り付けられた抗張体の断面図である。
【発明を実施するための形態】
【００１０】
添付の図面を参照して、本発明を詳細に説明する。各図では、同一又は相当する部分に同一の符号を付している。重複する説明は、適宜簡略化あるいは省略する。
【００１１】
実施の形態１．
実施の形態１では、乗客コンベアの一例として、エスカレーターについて具体的に説明する。動く歩道等の他の乗客コンベアについては、説明を省略する。
【００１２】
図１は、エスカレーターの構造を示す斜視図である。
【００１３】
図１に示すように、エスカレーターは、トラス１を備えている。トラス１は、上階と下階との間に架け渡されている。トラス１の内部には、駆動機２、メインスプロケット３、ステップ用下部スプロケット４及び図示しないステップ用上部スプロケットが設けられている。駆動機２、メインスプロケット３及びステップ用上部スプロケットは、上階側に配置されている。ステップ用下部スプロケット４は、下階側に配置されている。ステップ用上部スプロケットは、メインスプロケット３と同軸に設けられている。
【００１４】
駆動機２は、駆動スプロケット２ａを備えている。駆動スプロケット２ａ及びメインスプロケット３には、無端状の駆動チェーン５が巻き掛けられている。ステップ用上部スプロケット及びステップ用下部スプロケット４には、無端状のステップチェーン６が巻き掛けられている。
【００１５】
エスカレーターは、複数のステップ７、手摺８及び手摺駆動装置９を備えている。複数のステップ７は、下階から上階へ向かって並ぶように、ステップチェーン６によって連結されている。手摺８は、無端状に形成された乗客コンベア用手摺である。手摺８は、複数のステップ７が並ぶ方向に沿って、ステップ７の左右両側に設けられている。手摺駆動装置９は、トラス１の内部に設けられている。手摺駆動装置９は、１つの手摺８に対して少なくとも１つ設けられる。
【００１６】
トラス１の内部には、図示しない手摺用上部スプロケットが設けられている。手摺用上部スプロケットは、メインスプロケット３及びステップ用上部スプロケットと同軸に設けられている。手摺駆動装置９は、複数の手摺駆動スプロケット及び複数の手摺駆動ローラを備えている。それぞれの手摺駆動ローラは、それぞれの手摺駆動スプロケットに対応して同軸に設けられている。手摺駆動スプロケットには、手摺チェーンが巻き掛けられている。
【００１７】
駆動機２は、駆動スプロケット２ａを回転させる。駆動スプロケット２ａの回転により、駆動チェーン５は、駆動スプロケット２ａとメインスプロケット３の間を循環するように移動する。駆動機２の動力は、駆動スプロケット２ａから駆動チェーン５を介してメインスプロケット３に伝達される。メインスプロケット３、ステップ用上部スプロケット及び手摺用上部スプロケットは、駆動スプロケット２ａの回転に伴って回転する。
【００１８】
ステップ用上部スプロケットの回転により、ステップチェーン６は、ステップ用上部スプロケットとステップ用下部スプロケット４との間を循環移動する。つまり、ステップ７は、上階と下階との間を循環移動する。
【００１９】
手摺用上部スプロケットの回転に伴って、手摺駆動装置９の手摺チェーンが循環移動する。手摺チェーンの循環移動に伴って、手摺駆動スプロケット及び手摺駆動ローラが回転する。手摺８は、回転する手摺駆動ローラとの摩擦力によって、上階と下階との間を循環移動する。手摺８は、ステップ７の移動方向と同じ方向に移動する。
【００２０】
図２は、実施の形態１における乗客コンベア用手摺の長手方向から見た断面図である。図２における上下方向は、乗客コンベア用手摺の短手方向である。
【００２１】
図２に示すように、手摺８は、本体部１０を備えている。本体部１０は、導電性を有しない。本体部１０は、例えば、合成樹脂で形成されている。本体部１０は、長手方向から見た断面形状がＣ字状を呈する。つまり、本体部１０は、手摺８の進行方向から見た断面形状がＣ字状を呈する。本体部１０は、外側面１０ａ及び内側面１０ｂを有している。外側面１０ａは、乗客コンベアの利用者が手摺８を掴む際に触れる部分である。内側面１０ｂは、手摺駆動ローラと接触する部分である。
【００２２】
図２に示すように、本体部１０には、抗張体１１が内蔵されている。抗張体１１は、本体部１０の長手方向に沿って埋め込まれている。抗張体１１は、導電性を有する。抗張体１１は、例えば、金属材料で形成されている。抗張体１１は、例えば、直径１ｍｍ程度の太さに形成されている。
【００２３】
抗張体１１は、１つの手摺８に対して、少なくとも３本設けられている。抗張体１１は、１つの手摺８に対して、例えば、１０本以上設けられる。図２は、１つの手摺８に１０本の抗張体１１が内蔵されている場合を示している。複数の抗張体１１は、互いに接触せずに、本体部１０の短手方向に沿って並べられている。
【００２４】
以下、複数の抗張体１１のうち、本体部１０の短手方向において最も外側に配置されたものを外側抗張体１１ａと呼ぶ。図２に示す抗張体１１のうち、上から数えて１番目及び１０番目は、外側抗張体１１ａである。また、複数の抗張体１１のうち、２本の外側抗張体１１ａの間に配置されたものを内側抗張体１１ｂと呼ぶ。図２に示す抗張体１１のうち、上から数えて２番目から９番目までは、内側抗張体１１ｂである。
【００２５】
図３は、乗客コンベア用手摺の抗張体の断面図である。
【００２６】
図３に示すように、抗張体１１は、例えば、ワイヤ１２をより合わせて形成されたワイヤロープである。１本の抗張体１１は、例えば、４本のワイヤ１２を７組使用して形成される。
【００２７】
図４は、実施の形態１における乗客コンベア用手摺の外観図である。図４は、図２における手摺８を右側から見た状態を示している。図４における上下方向は、乗客コンベア用手摺の短手方向である。
【００２８】
図４に示すように、本体部１０の内側面１０ｂには、複数の開口部が形成されている。内側面１０ｂに形成された開口部には、結線用開口部１３及び接触用開口部１４が含まれる。結線用開口部１３は、図中に示す開口部のうち長方形を呈するものである。接触用開口部１４は、図中に示す開口部のうち円形を呈するものである。以下、図４における左側に位置する４つの結線用開口部１３及び２つの接触用開口部１４を「Ｈ側」の開口部と呼ぶ。また、図４における右側に位置する５つの結線用開口部１３を「Ｊ側」の開口部と呼ぶ。
【００２９】
図４に示すように、Ｈ側の複数の開口部は、本体部１０の短手方向における並び順で連続する２つが本体部１０の長手方向において互いに異なる位置に配置されている。また、Ｊ側の複数の開口部は、本体部１０の短手方向における並び順で連続する２つが本体部１０の長手方向において互いに異なる位置に配置されている。つまり、それぞれの開口部は、本体部１０の短手方向に沿って他の開口部と隣接しない位置に形成されている。
【００３０】
図４に示すように、開口部からは、本体部１０に内蔵された抗張体１１が露出している。結線用開口部１３からは、隣り合う２本の抗張体１１が露出している。つまり、結線用開口部１３は、例えば、手摺８の短手方向において、隣り合う２本の抗張体１１の間隔以上且つ当該間隔の２倍未満の大きさに形成されている。また、接触用開口部１４からは、１本の抗張体１１が露出している。つまり、接触用開口部１４は、例えば、手摺８の短手方向において、隣り合う２本の抗張体１１の間隔未満の大きさに形成されている。
【００３１】
図５は、実施の形態１における乗客コンベア用手摺の厚さ方向から見た断面図である。図５における上下方向は、乗客コンベア用手摺の短手方向である。図５には、図４に示す開口部の位置が仮想的に示されている。
【００３２】
図５に示すように、抗張体１１は、無端状に形成されていない。抗張体１１は、本体部１０の長手方向において両端が接触せず対向した状態で設けられている。つまり、図５に示すように、同一の抗張体１１の両端の間には隙間１５が存在する。複数の抗張体１１は、本体部１０の短手方向において隣り合う２本の抗張体１１の隙間１５同士が隣り合わないように配置されている。
【００３３】
以下、図４及び図５を参照して、開口部と抗張体１１との関係について説明する。以下の説明では、１本の抗張体１１全体の中で、図中で隙間１５の左側に位置する部位を一端部と呼び、図中で隙間１５の右側に位置する部位を他端部と呼ぶ。
【００３４】
図４及び図５に示す抗張体１１のうち、上から数えて１番目及び１０番目は、外側抗張体１１ａである。図４及び図５に示す抗張体１１のうち、上から数えて２番目から９番目までは、内側抗張体１１ｂである。
【００３５】
上から数えて１番目の抗張体１１の一端部は、Ｈ側の接触用開口部１４から露出している。上から数えて１番目の抗張体１１の他端部は、上から数えて２番目の抗張体１１の他端部と共に、Ｊ側の結線用開口部１３から露出している。
【００３６】
上から数えて２番目の抗張体１１の一端部は、上から数えて３番目の抗張体１１の一端部と共に、Ｈ側の結線用開口部１３から露出している。上から数えて３番目の抗張体１１の他端部は、上から数えて４番目の抗張体１１の他端部と共に、Ｊ側の結線用開口部１３から露出している。上から数えて４番目の抗張体１１の一端部は、上から数えて５番目の抗張体１１の一端部と共に、Ｈ側の結線用開口部１３から露出している。上から数えて５番目の抗張体１１の他端部は、上から数えて６番目の抗張体１１の他端部と共に、Ｊ側の結線用開口部１３から露出している。上から数えて６番目の抗張体１１の一端部は、上から数えて７番目の抗張体１１の一端部と共に、Ｈ側の結線用開口部１３から露出している。上から数えて７番目の抗張体１１の他端部は、上から数えて８番目の抗張体１１の他端部と共に、Ｊ側の結線用開口部１３から露出している。上から数えて８番目の抗張体１１の一端部は、上から数えて９番目の抗張体１１の一端部と共に、Ｈ側の結線用開口部１３から露出している。
【００３７】
上から数えて９番目の抗張体１１の他端部は、上から数えて１０番目の抗張体１１の他端部と共に、Ｊ側の結線用開口部１３から露出している。上から数えて１０番目の抗張体１１の一端部は、Ｈ側の接触用開口部１４から露出している。
【００３８】
図４及び図５を参照して説明したように、全ての抗張体１１の一端部及び他端部は、本体部１０の内側面１０ｂに形成された開口部から露出する。結線用開口部１３は、隣り合う２本の抗張体１１の一端部同士の組又は他端部同士の組を露出させる。接触用開口部１４は、抗張体１１の一端部又は他端部のうち結線用開口部１３から露出しない側を露出させる。
【００３９】
図４及び図５を参照して説明したように、内側抗張体１１ｂの一端部は、本体部１０の短手方向における一側に隣り合う抗張体１１の一端部と共に、結線用開口部１３から露出する。当該内側抗張体１１ｂの一端部は、他側に隣り合う抗張体１１の一端部と共には結線用開口部１３から露出しない。当該内側抗張体１１ｂの他端部は、本体部１０の短手方向における他側に隣り合う抗張体１１の他端部と共に、結線用開口部１３から露出する。当該内側抗張体１１ｂの他端部は、本体部１０の短手方向における一側に隣り合う抗張体１１の他端部と共には結線用開口部１３から露出しない。外側抗張体１１ａの一端部又は他端部のうち、隣り合う内側抗張体１１ｂの端部と共に結線用開口部１３から露出しない側は、接触用開口部１４から露出する。
【００４０】
図６は、実施の形態１における測定治具の模式図である。
【００４１】
図６に示すように、測定治具は、基板１６を備えている。基板１６は、例えば、導電性を有しない材料で形成されている。基板１６には、導電性を有する複数の端子が設けられている。複数の端子は、例えば、基板１６に対して垂直に設けられている。複数の端子は、手摺８の内側面１０ｂに形成された複数の開口部に対して同時に挿入可能な位置関係で配置されている。
【００４２】
基板１６には、結線用端子１７及び接触用端子１８が設けられている。測定治具は、Ｈ側用の基板１６及びＪ側用の基板１６を備えている。Ｈ側用の基板１６には、４つの結線用端子１７及び２つの接触用端子１８が設けられている。Ｊ側用の基板１６には、５つの結線用端子１７が設けられている。結線用端子１７は、内側面１０ｂに形成された結線用開口部１３に対応して基板１６に配置されている。接触用端子１８は、内側面１０ｂに形成された接触用開口部１４に対応して基板１６に配置されている。
【００４３】
結線用端子１７は、結線用開口部１３に挿入された場合に、当該結線用開口部１３から露出している２本の抗張体１１の双方に接触するように形成されている。結線用端子１７は、例えば、隣り合う２本の抗張体１１の間隔と同程度の間隔で並べられた２つの針状部材を電気的に接続したものでもよい。また、結線用端子１７は、例えば、隣り合う２本の抗張体１１の間隔と同程度の太さに形成された１つの針状部材でもよい。
【００４４】
接触用端子１８は、接触用開口部１４に挿入された場合に、当該接触用開口部１４から露出している１本の抗張体１１に接触するように形成されている。接触用端子１８は、複数の抗張体１１に同時に接触しない形状及び太さに形成されていればよい。
【００４５】
測定治具は、手摺８の内側面１０ｂに形成された各開口部に対して、同時に各端子が挿入されるようにして使用される。Ｈ側用の基板１６に設けられた４つの結線用端子１７は、Ｈ側の結線用開口部１３のそれぞれに挿入される。Ｈ側用の基板１６に設けられた２つの接触用端子１８は、Ｈ側の接触用開口部１４のそれぞれに挿入される。Ｊ側用の基板１６に設けられた５つの結線用端子１７は、Ｊ側の接触用開口部１４のそれぞれに挿入される。
【００４６】
測定治具が使用されると、接触用端子１８は、挿入された開口部から露出している１本の抗張体１１に接触する。Ｈ側用の基板１６に設けられた接触用端子１８の一方は、上から数えて１番目の抗張体１１の一端部に接触する。Ｈ側用の基板１６に設けられた接触用端子１８の他方は、上から数えて１０番目の抗張体１１の一端部に接触する。
【００４７】
測定治具が使用されると、結線用端子１７は、挿入された開口部から露出している２本の抗張体１１の双方に接触する。つまり、結線用端子１７は、同じ開口部から露出している２本の抗張体を電気的に接続する。
【００４８】
Ｊ側用の基板１６に設けられた結線用端子１７の１つは、上から数えて１番目及び２番目の抗張体１１の他端部同士を電気的に接続する。Ｊ側用の基板１６に設けられた結線用端子１７の１つは、上から数えて３番目及び４番目の抗張体１１の他端部同士を電気的に接続する。Ｊ側用の基板１６に設けられた結線用端子１７の１つは、上から数えて５番目及び６番目の抗張体１１の他端部同士を電気的に接続する。Ｊ側用の基板１６に設けられた結線用端子１７の１つは、上から数えて７番目及び８番目の抗張体１１の他端部同士を電気的に接続する。Ｊ側用の基板１６に設けられた結線用端子１７の１つは、上から数えて９番目及び１０番目の抗張体１１の他端部同士を電気的に接続する。
【００４９】
Ｈ側用の基板１６に設けられた結線用端子１７の１つは、上から数えて２番目及び３番目の抗張体１１の一端部同士を電気的に接続する。Ｈ側用の基板１６に設けられた結線用端子１７の１つは、上から数えて４番目及び５番目の抗張体１１の一端部同士を電気的に接続する。Ｈ側用の基板１６に設けられた結線用端子１７の１つは、上から数えて６番目及び７番目の抗張体１１の一端部同士を電気的に接続する。Ｈ側用の基板１６に設けられた結線用端子１７の１つは、上から数えて８番目及び９番目の抗張体１１の一端部同士を電気的に接続する。
【００５０】
測定治具が使用されると、上記のように、Ｈ側用の基板１６に設けられた結線用端子１７によって、隣り合う抗張体１１の一端部同士が電気的に接続される。また、Ｊ側用の基板１６に設けられた結線用端子１７によって、隣り合う抗張体１１の他端部同士が電気的に接続される。これにより、電気的には、上から数えて１番目の抗張体１１の一端部から１０番目の抗張体１１の一端部までが直列接続された状態となる。つまり、一方の外側抗張体１１ａの一端部から他方の外側抗張体１１ａの一端部までが、全ての内側抗張体１１ｂを順番に介して電気的に接続された状態となる。この状態において、例えば、２つの接触用端子１８の間の電気抵抗を測定した場合、全ての抗張体１１の合成抵抗が測定される。また、この状態において、例えば、同一の抗張体１１に接触している２つの端子の間の電気抵抗を測定した場合、１本の抗張体１１の電気抵抗が測定される。
【００５１】
実施の形態１において、本体部１０の内側面１０ｂには、全ての抗張体１１の一端部及び他端部を露出させる開口部が形成されている。つまり、全ての抗張体１１は、乗客コンベア用手摺から本体部１０を取り除かなくとも触れることが可能である。このため、乗客コンベア用手摺に内蔵された複数の抗張体１１の電気抵抗を一度に測定できる。これにより、例えば、１つの乗客コンベア用手摺に内蔵された全ての抗張体１１の合成抵抗として正常な値が測定された場合、当該乗客コンベア用手摺には劣化した抗張体１１が含まれていないと判断できる。一方、１つの乗客コンベア用手摺に内蔵された全ての抗張体１１の合成抵抗として異常な値が測定された場合、当該乗客コンベア用手摺には劣化した抗張体１１が含まれていると判断できる。つまり、実施の形態１によれば、１つの乗客コンベア用手摺につき電気抵抗の測定を１回行うだけで、劣化した抗張体１１が含まれているか否かを判断することができる。その結果、乗客コンベア用手摺に内蔵された抗張体１１の劣化診断を効率化することができる。なお、乗客コンベア用手摺に劣化した抗張体１１が含まれていると判断された場合は、それぞれの抗張体１１の電気抵抗を個別に測定すれば、劣化した抗張体１１を特定できる。
【００５２】
実施の形態１において、結線用開口部１３は、隣り合う２つの抗張体１１の一端部同士の組又は他端部同士の組を露出させる。接触用開口部１４は、抗張体１１の一端部又は他端部のうち結線用開口部１３から露出しない側を露出させる。内側抗張体１１ｂは、一端部が、本体部１０の短手方向における一側に隣り合う抗張体１１の一端部と共に結線用開口部１３から露出し且つ他側に隣り合う抗張体１１の一端部と共に結線用開口部１３から露出せず、他端部が、本体部１０の短手方向における他側に隣り合う抗張体１１の他端部と共に結線用開口部１３から露出し且つ一側に隣り合う抗張体１１の他端部と共に結線用開口部１３から露出しない。外側抗張体１１ａは、一端部又は他端部のうち隣り合う内側抗張体１１ｂの端部と共に前記結線用開口部１３から露出しない側が前記接触用開口部１４から露出する。このため、実施の形態１によれば、同じ結線用開口部１３から露出する２つの抗張体１１同士を電気的に接続することで、容易に全ての抗張体１１の合成抵抗を測定できる。その結果、乗客コンベア用手摺に内蔵された抗張体１１の劣化診断を効率化することができる。
【００５３】
実施の形態１において、それぞれの開口部は、本体部１０の短手方向に沿って他の開口部と隣接しない位置に形成されている。つまり、複数の開口部は、本体部１０の短手方向に沿って一列に並ぶことなく、互い違いに配置されている。このため、実施の形態１によれば、手摺駆動ローラが開口部に入り込んだり引っ掛かったりすることを防止できる。その結果、乗客コンベア用手摺の循環移動を妨げることなく、複数の抗張体１１の電気抵抗を一度に測定できる。
【００５４】
実施の形態１において、乗客コンベア用手摺に対して用いられる測定治具は、導電性を有しない基板１６を備えている。測定治具は、結線用端子１７及び接触用端子１８を備えている。結線用端子１７は、結線用開口部１３に対応して基板１６に配置され、隣り合う２つの抗張体１１の双方と接触するように形成されている。接触用端子１８は、接触用開口部１４に対応して基板１６に配置されている。測定治具を使用すると、同じ結線用開口部１３から露出する２つの抗張体１１同士を容易に電気的に接続できる。このため、実施の形態１によれば、測定治具を用いることで、容易に全ての抗張体１１の合成抵抗を測定できる。その結果、乗客コンベア用手摺に内蔵された抗張体１１の劣化診断をさらに効率化することができる。
【００５５】
実施の形態１において、測定治具は、Ｈ側用の基板１６の端子及びＪ側用の基板１６の端子が１つの基板１６に設けられたものでもよい。この場合であっても、各端子が各開口部に対応して配置されていれば、容易に全ての抗張体１１の合成抵抗を測定できる。
【００５６】
実施の形態１において、電気抵抗を測定する際には、測定治具を使用しなくともよい。この場合であっても、例えば、隣り合う抗張体１１同士を電気的に接続した上で、接触用開口部１４から露出する外側抗張体１１ａの端部に測定機器の端子を直接触れさせれば、全ての抗張体１１の合成抵抗を測定できる。
【００５７】
実施の形態２．
以下、実施の形態１との相違点を中心に、乗客コンベア用手摺の構成を説明する。実施の形態１と同一又は相当する部分には同一の符号を付して、一部の説明を省略する。
【００５８】
図７は、実施の形態２における乗客コンベア用手摺の厚さ方向から見た断面図である。図７における上下方向は、乗客コンベア用手摺の短手方向である。
【００５９】
図７に示すように、実施の形態２において、手摺８には、接触具１９及び連結具２０が予め設けられている。接触具１９及び連結具２０は、導電性を有する。接触具１９及び連結具２０は、抗張体１１に取り付けられている。
【００６０】
接触具１９は、図５に仮想的に示した接触用開口部１４に対応する位置に配置されている。つまり、接触具１９は、接触用開口部１４から露出している。連結具２０は、図５に仮想的に示した結線用開口部１３に対応する位置に配置されている。つまり、連結具２０は、結線用開口部１３から露出している。
【００６１】
図８は、実施の形態２における接触具が取り付けられた抗張体の断面図である。図９は、実施の形態２における連結具が取り付けられた抗張体の断面図である。
【００６２】
図８に示すように、接触具１９は、対向する２方向から１本の抗張体１１を挟み込むようにして取り付けられている。図９に示すように、連結具２０は、隣り合う２本の抗張体１１の双方に噛ませられるようにして取り付けられている。つまり、連結具２０は、隣り合う２本の抗張体１１を予め電気的に接続している。
【００６３】
上から数えて１番目及び２番目の抗張体１１の他端部同士は、予め電気的に接続されている。上から数えて３番目及び４番目の抗張体１１の他端部同士は、予め電気的に接続されている。上から数えて５番目及び６番目の抗張体１１の他端部同士は、予め電気的に接続されている。上から数えて７番目及び８番目の抗張体１１の他端部同士は、予め電気的に接続されている。上から数えて９番目及び１０番目の抗張体１１の他端部同士は、予め電気的に接続されている。
【００６４】
上から数えて２番目及び３番目の抗張体１１の一端部同士は、予め電気的に接続されている。上から数えて４番目及び５番目の抗張体１１の一端部同士は、予め電気的に接続されている。上から数えて６番目及び７番目の抗張体１１の一端部同士は、予め電気的に接続されている。上から数えて８番目及び９番目の抗張体１１の一端部同士は、予め電気的に接続されている。
【００６５】
実施の形態２における乗客コンベア用手摺は、連結具２０により、上から数えて１番目の抗張体１１の一端部から１０番目の抗張体１１の一端部までが直列接続された状態となっている。つまり、予め、一方の外側抗張体１１ａの一端部から他方の外側抗張体１１ａの一端部までが、全ての内側抗張体１１ｂを順番に介して電気的に接続された状態となっている。このため、例えば、２つの接触具１９の間の電気抵抗を測定した場合、全ての抗張体１１の合成抵抗が測定される。また、例えば、同一の抗張体１１に取り付けられている接触具１９と連結具２０との間又は２つの連結具２０の間の電気抵抗を測定した場合、１本の抗張体１１の電気抵抗が測定される。
【００６６】
実施の形態２において、内側抗張体１１ｂは、一端部が、本体部１０の短手方向における一側に隣り合う抗張体１１の一端部と予め電気的に接続され且つ他側に隣り合う前記抗張体の一端部と電気的に接続されず、他端部が、本体部１０の短手方向における他側に隣り合う抗張体１１の他端部と予め電気的に接続され且つ一側に隣り合う抗張体１１の他端部と電気的に接続されていない。つまり、同じ結線用開口部１３から露出する２つの抗張体１１同士が予め電気的に接続されている。このため、実施の形態２によれば、測定時に抗張体１１同士を接続したり測定治具を用いたりしなくとも、実施の形態１と同様に、容易に全ての抗張体１１の合成抵抗を測定できる。その結果、乗客コンベア用手摺に内蔵された抗張体１１の劣化診断を効率化することができる。
【００６７】
実施の形態２において、接触具１９は、設けられていなくともよい。この場合であっても、例えば、接触用開口部１４から露出する外側抗張体１１ａの端部に測定機器の端子を直接触れさせれば、全ての抗張体１１の合成抵抗を測定できる。なお、実施の形態２においても、電気抵抗を測定する際に測定治具を使用してもよい。
【００６８】
実施の形態１及び２によれば、抗張体１１の摩耗及び断線でない異常も検出可能である。例えば、隣り合う２本の抗張体１１が接触している場合又は１本の抗張体１１の一端部と他端部とが接触している場合等にも、全ての抗張体１１の合成抵抗として異常な値が測定される。このような場合であっても、それぞれの抗張体１１の電気抵抗を個別に測定すれば、問題のある抗張体１１を特定できる。
【００６９】
実施の形態１及び２の説明では、図中で隙間１５の左側に位置する部位を一端部と呼び、図中で隙間１５の右側に位置する部位を他端部と呼んでいるが、一端部と他端部とを入れ替えてもよい。つまり、１本の抗張体１１全体の中で、図中で隙間１５の右側に位置する部位を一端部と呼び、図中で隙間１５の左側に位置する部位を他端部と呼んでもよい。
【符号の説明】
【００７０】
１  トラス
２  駆動機
２ａ  駆動スプロケット
３  メインスプロケット
４  ステップ用下部スプロケット
５  駆動チェーン
６  ステップチェーン
７  ステップ
８  手摺
９  手摺駆動装置
１０  本体部
１０ａ  外側面
１０ｂ  内側面
１１  抗張体
１１ａ  外側抗張体
１１ｂ  内側抗張体
１２  ワイヤ
１３  結線用開口部
１４  接触用開口部
１５  隙間
１６  基板
１７  結線用端子
１８  接触用端子
１９  接触具
２０  連結具
【図１】
2017088266.tif 000003
【図２】
2017088266.tif 000004
【図３】
2017088266.tif 000005
【図４】
2017088266.tif 000006
【図５】
2017088266.tif 000007
【図６】
2017088266.tif 000008
【図７】
2017088266.tif 000009
【図８】
2017088266.tif 000010
【図９】
2017088266.tif 000011